(57)【特許請求の範囲】
【請求項１】
テーブルトップ、バートップ又はカウンタートップを含む表面を、前記表面を客が使用する商業用飲食施設における宣伝用媒体に変える方法であって、
前記宣伝用媒体を構成する印刷表示層を形成する印刷領域を有する透明なキャリア層と、半永久的接着材層と、前記半永久的接着材層を覆う剥離紙層とを有する表面カバーを準備し、
前記剥離紙層を除去するとともに、前記半永久接着材層を清潔で滑らかで隆起のない表面に接触させて前記表面カバーを前記表面に供給することにより、客が表面カバーを使用している間に前記表面カバーが客によって容易に除去されたり傷付けられたりせず、かつ、特定の期間の経過後に前記表面カバーを完全に除去させることができるように、前記表面カバーをしっかりと固着させ、
前記キャリア層、印刷表示層、及び半永久的接着材層を有する前記表面カバーを前記特定の期間の経過後に前記表面から完全に除去し、
他の表面カバーの剥離紙を除去するとともに前記他の表面カバーの半永久的接着材層を前記表面に接触させるようにして、前記キャリア層、前記宣伝用媒体を構成する印刷表示層、及び半永久的接着材層を有する他の表面カバーを供給することにより、前記特定の期間の経過後に除去された表面カバーを交換することを特徴とする表面を宣伝用媒体に変える方法。
【請求項２】
前記表面カバーは、定期的な間隔で取り替えられることを特徴とする請求項1に記載の表面を宣伝用媒体に変える方法。
【請求項３】
前記定期的な間隔は、１ヶ月であることを特徴とする請求項２に記載の表面を宣伝用媒体に変える方法。
【請求項４】
前記キャリア層は、非印刷領域を有するとともに、前記半永久的接着材層は、透明であり、
前記表面に確実に取り付けられている場合に、前記表面カバーは、前記キャリア槽の印刷領域を除いて表面を使用する客によって容易に視認されず、前記キャリア層の非印刷領域を通して前記表面を認識可能とし、前記表面の仕上げの実態として表れることを特徴とする請求項１〜３の何れか1項に記載の表面を宣伝用媒体に変える方法。
【請求項５】
前記印刷表示層は、前記表面カバーの全領域にわたるものであることを特徴とする請求項１〜３の何れか1項に記載の表面を宣伝用媒体に変える方法。
【請求項６】
前記半永久接着材層は、無色透明でアクリル系の溶剤型接着剤からなることを特徴とする請求項１〜５の何れか１項に記載の表面を宣伝用媒体に変える方法。
【請求項７】
前記キャリア層は、ポリエチレン・テレフタレートフィルムからなることを特徴とする請求項1〜６の何れか１項に記載の表面を宣伝用媒体に変える方法。
【請求項８】
前記キャリア層は、１００μｍ以下の厚みを有することを特徴とする請求項１〜７の何れか１項に記載の表面を宣伝用媒体に変える方法。
【請求項９】
前記キャリア層は、１０μｍから１００μｍの厚みを有することを特徴とする請求項１〜７の何れか1項に記載の表面を宣伝用媒体に変える方法。
【請求項１０】
前記キャリア層は、１５μｍから７０μｍの厚みを有することを特徴とする請求項１〜７の何れか1項に記載の表面を宣伝用媒体に変える方法。
【請求項１１】
前記キャリア層は、前記印刷表示層を有する一方の面とは反対の面を有し、前記印刷表示層を保護するために透明接着層によって印刷表示層上に接着されたポリマーからなる透明フィルム層を備え、前記キャリア層の反対の面は前記半永久的接着材層を有することを特徴とする請求項１〜１０の何れか1項に記載の表面を宣伝用媒体に変える方法。
【請求項１２】
前記ポリマーからなる透明フィルム層は、食品に接触して適用することについて承認されるものであることを特徴とする請求項１１に記載の表面を宣伝用媒体に変える方法。
【請求項１３】
前記ポリマーからなる透明フィルム層は、透明な配向ポリプロピレンからなることを特徴とする請求項１１又は１２に記載の表面を宣伝用媒体に変える方法。
【請求項１４】
前記印刷表示層上に前記ポリマーからなる透明フィルム層を接着する前記透明接着層は、透明なＥＶＡ接着材であることを特徴とする請求項１１〜１３の何れか１項に記載の表面を宣伝用媒体に変える方法。
【請求項１５】
前記ポリマーからなる透明フィルム層は、５μｍから２０μｍの範囲内の厚みを有することを特徴とする請求項１１〜１４の何れか１項に記載の表面を宣伝用媒体に変える方法。
【請求項１６】
前記剥離紙層である第１剥離紙層とは反対側となる前記表面カバーの表面を覆おう第２剥離紙層を備え、
前記第２剥離紙層は、表面に適用され、その後除去されるまでの間に、表面カバーの取扱いの補助となるように設けられていることを特徴とする請求項１〜１５の何れか１項に記載の表面を宣伝用媒体に変える方法。
【請求項１７】
テーブルトップ、バートップ又はカウンタートップを含む表面を、前記表面を客が使用する商業用飲食施設における宣伝用媒体に変えることに用いるとき、又は用いるために、請求項１〜１６の何れか１項に記載の方法に用いる表面カバーであって、
前記表面カバーは、清潔で滑らかで隆起のない表面に供給可能とされ、前記宣伝用媒体を構成する印刷表示層を形成する印刷領域を有する透明なキャリア層と、半永久接着材層と、前記半永久接着材層を覆う剥離紙層とを有し、
前記半永久接着材層は、前記表面カバーが商業用飲食施設において客に使用されている間に前記表面カバーが客によって容易に除去されたり傷付けられたりせず、かつ、特定の期間の経過後に前記表面カバーを完全に除去させることができるように前記表面にしっかりと固定するために、前記剥離紙層が除去されたときに前記清潔で滑らかで隆起のない表面に接触可能とされていることを特徴とする表面カバー。
【発明の詳細な説明】
【技術分野】
【０００１】
本発明は、テーブルや、同様の表面用のカバーに関し、特に、レストランや喫茶店のような商業用飲食施設での使用にとりわけ適したカバーに関する。
【背景技術】
【０００２】
このような施設では、テーブル上に宣伝用の資料を置くことがよく知られている。この資料は、ビール用コースターの形式であったり、紙やプラスティックのランチョンマットに印刷されたりする。本質的に、この方法で提供される宣伝用の資料は、除去可能なものであり、かつ範囲も限定される。
【発明の開示】
【発明が解決しようとする課題】
【０００３】
本発明の目的は、テーブルトップを宣伝媒体に変えるために用いられてもよく、客によって容易に除去されたり傷つけられたりせず、また特定の期間後に交換可能であるテーブルカバーを提供することである。
【課題を解決するための手段】
【０００４】
このカバーはテーブル全体を覆ってもよく、また前記テーブルトップのみに表示を提供するものであってもよい。
【０００５】
したがって、本発明によると、表面に適用されるカバーは、
ｉ）表面に接する半永久接着剤層と、
ｉｉ）透明なキャリア層と、
ｉｉｉ）前記キャリア層に印刷された表示層からなり、
前記テーブルカバーは、表面に適用されたとき、カバーの大部分を通して表面を視認できるが、印刷された領域を除いてカバーの実態を容易に視認させないように構成されていることを特徴とする。
【０００６】
好ましくは、前記カバーは更に、カバーの適用前に除去され、カバーの表面への適用を補助する剥離紙の下地を備える。一方、前記カバーは、表面への適用のために展開されたときに片側に接着剤層が露出するように巻き付けた形態とすることもできる。
【０００７】
前記カバーは、好ましくは、テーブルトップに適用されるテーブルカバーである。
【０００８】
本発明のテーブルカバーを用いてテーブルトップを仕上げる方法には、隆起のない滑らかなテーブル表面を準備し、前段で述べたテーブルカバーをテーブルトップに適用し、この間に、テーブルカバーから剥離紙の層（ｉ）をはがし、半永久接着剤層（ｉｉ）をテーブルトップに接着することが含まれる。必要であれば、テーブルカバーの下にトラップされた気泡は適切なローラ又はスキージを用いて外に出してもよい。
【０００９】
テーブルカバーは、テーブルトップの全体を充分にカバーするように作られるが、カバーとテーブルの縁との隙間が５０ｍｍ以下であることが好ましい。必要であれば、テーブルカバーは、それが適用されるテーブルトップの一つ以上の縁部の一部または数箇所を包む形状とサイズとすることが好ましい。しかし、本発明の各テーブルカバーの好ましい形状とサイズは、それがテーブルに適用されたときに折ったりひだをつけたりする必要のないものである。
【００１０】
カバーの印刷表示層はテーブルカバーの全領域にわたるもの、あるいは非連続性のものであり、印刷表示は装飾的な及び／または広告的な資料で構成されてもよい。
【００１１】
本発明のテーブルカバーは、テーブルトップのほぼ全体をカバーし、表示層はテーブルの面積より相当小さなものであるよう構成されてもよく、テーブルトップに対する表示層の位置は特定の事情に応じて選択される。
【００１２】
必要であれば、テーブルカバーはテーブルトップの一部のみを覆うのに適したサイズ及び／または形状であってよい。
【００１３】
もし、後者のようにテーブルカバーがテーブルトップの一部のみをカバーするのであれば、カバーの印刷表示層は、テーブルカバーのほぼ全域にわたって形成されていてもよい。他方、表示層はテーブルカバーのほんの小さな箇所に位置することもできる。印刷表示は装飾的なもの及び／あるいは広告的な資料であってよい。
【００１４】
本発明の特徴によれば、テーブルカバーの実態を、印刷領域を除いてテーブルを使用する客に対して容易に視認させないが、非印刷領域を通してテーブルトップを視認可能とする。つまり、ポリマーフィルムのキャリア層及びその下の半永久接着剤層は全く透明であり、したがって、カバーの外観はテーブルトップの仕上げの実態として表れる。このような理由から、フィルムの厚さは重要であり、クリアフィルムの好ましい厚さは１０μｍから１００μｍの範囲であり、より好ましくは１５から７０μｍの範囲である。このフィルムに用いられるポリマーは、ポリエチレン・テレフタレート（ＰＥＴ）のような弾力性のある熱可塑性ポリエステルが好ましい。
【００１５】
使用にあたり、本発明のテーブルカバーは、例えば１ヶ月の定期的な間隔で取り替えられる。したがって、半永久接着剤の役割は、テーブルカバーの使用中はテーブルトップにしっかりと付き、しかし所望の期間の終わりにはテーブルカバーの完全な除去及び取替えを可能にすることである。好ましい接着剤は、無色透明のアクリル系の溶剤型接着剤である。
【００１６】
本発明の好ましい実施例において、テーブルカバーは、印刷層を保護し第２接着剤層によって印刷表示層上に接着される第２ポリマーフィルム層を有する。第２ポリマーフィルム層は食品接触用に承認される材料から作られてもよい。適用される接着剤は、間接的に食品に接触するものとして承認される接着剤であることが好ましい。好ましい材料は、保護ポリマー層としては透明な配向ポリプロピレン（ＯＰＰ）フィルム、接着剤としては透明なＥＶＡ接着剤である。
【００１７】
第２ポリマーフィルム層は、５から２０μｍの範囲内の厚みを有することが好ましい。
【００１８】
テーブルカバーを適用する方法は簡単であるが、カバーが適用される表面が清潔で滑らかで、傷を引き起こす隆起や（塩のような）固形粒子が表面にないことを確認する配慮が必要である。
【００１９】
ポリマーフィルムのキャリア層は、それ自体が薄く、テーブルトップにテーブルカバーを適用する際の正確さが要求されるため、本発明の更なる実施例では、剥離紙の付加層がテーブルカバーの表面、すなわち基板層（ｉ）の表面と反対側の面上に設けられる。第２剥離紙層はテーブルカバーの取り扱いを容易にするために設けられる。テーブルカバーのキャリア層の性質によって、それはテーブルトップにテーブルカバーが適用される前あるいは適用された後に除去される。通常、キャリア層が薄くなれば、第２剥離紙層は、テーブルカバーがテーブルトップに適用された後までテーブルカバーに残る可能性が高い。
【発明の効果】
【００２０】
本発明によれば、客によって容易に除去されたり傷つけられたりせず、また特定の期間後に交換可能であるテーブルカバーを提供することができる。
【発明を実施するための最良の形態】
【００２１】
テーブルトップに対するカバーの適用を図示する図面を参照しながら、例のみを用いて本発明をより詳しく説明する。しかし、本発明はテーブルトップへの適用のみに限られない。
【００２２】
図１に示すテーブルカバーは、剥離紙の下地１、印刷表示層４を携えるポリマーのキャリア層３に接する半永久接着剤層２、第２接着剤層２ａにより印刷層４を覆うように接着される第２ポリマーフィルム３ａからなる。しかし、図示しない他の実施例によれば、カバーが適用前に巻かれており、テーブルトップに適用される直前にカバーが展開されて接着剤層が露出されるようになっているときには剥離紙を省いてもよい。
【００２３】
半永久接着剤層２は、無色透明のアクリル系溶剤型接着剤であり、層２は約２５μｍの厚さを有する。
【００２４】
キャリア層３は、３８μｍの厚さを有する市販の透明ＰＥＴフィルムからなり、その表面に印刷層４が印刷される。
【００２５】
印刷表示層４は、約８μｍの厚さを有する透明性の配向ポリプロピレンフィルムからなる第２ポリマー層３ａによって保護されている。接着剤層２ａにより第２ポリマー層が固着されるが、この接着剤層２ａは透明なＥＶＡ接着剤からなる。
【００２６】
図２に示す実施例は、図２のテーブルカバーが、カバーをテーブルトップに適用するのを補助する第２剥離紙層５を第２ポリマー層３ａ上に有する点をのぞいて、図１に示すものと同様である。
【００２７】
図３は上から見た平面図であり、透明なＰＥＴフィルム６のキャリア層がキャリア層よりも小さな面積のプリント層７を携える長方形のテーブルカバーである。
【００２８】
図４は円形のテーブルトップ８上に配置された円形テーブルカバーを示す平面図である。テーブルカバーもまた円形であり、そのサイズは、透明なポリマーフィルム１０のキャリア層の縁部９がテーブルトップの縁から１０ｍｍの位置にあるようなサイズである。
【００２９】
透明なポリマーフィルムの縁部９からテーブルカバーの印刷領域の縁部１１の距離は重大なものではなく、印刷層を有する表示材料の性質に依存する。
【００３０】
図５は上から見た平面図であり、円形のテーブルカバーを示す。この円形のテーブルカバーにおいて、透明なポリマーフィルム１２のキャリア層は、使用時に円形のテーブルトップの縁を覆ってテーブルカバーの付加的な支持を提供するためのタブ１３をその縁部に有する。
【００３１】
図６は、図３の長方形のテーブルカバーを例として用い、本発明のテーブルカバーの適用方法を示す斜視図である。
【００３２】
テーブルカバーは、長方形のテーブルトップ１４の一端から適用され、この場合、キャリア層１５は、テーブルトップの端部１６を覆うのに充分な長さとされている。この適用中、剥離紙層（図には示さない）がテーブルカバーから取り外されることによりテーブルカバーの半永久接着剤層が露出し、テーブルカバーを準備された滑らかなテーブルトップに接着させることが可能となる。
【００３３】
図７は本発明に係る他のテーブルカバーをテーブルトップへ適用した状態を図示する斜視図である。
【００３４】
この場合、正方形のテーブルカバー１７が正方形のテーブルトップ１８に適用され、テーブルカバーが適用されるに従い、剥離紙１９の層がテーブルカバーから徐々に剥離され接着剤が露出する。
【００３５】
テーブルカバー１７の印刷表示層は、テーブルカバーの全領域にわたり拡張されており、テーブルカバー１７の端部２０は、テーブルトップ１８の縁から１０ｍｍの位置に配置される。この実施例では、テーブルトップの縁にテーブルカバーが覆い被さらないようにしている。
【００３６】
図８は上から見た平面図で、テーブルトップの中央部上にのみ延びるテーブルカバー２２を携える長方形のテーブル２１を示す。この実施例では透明なＰＥＴフィルムのキャリア層が、テーブルトップの端部を覆い（図示せず）、テーブル表面上に配置されるキャリア層の全領域に設けられた印刷層を備える。
【００３７】
図９は、円形テーブルトップ２４上に配置された円形テーブルカバー２３を示す平面図である。テーブルカバーもまた円形であり、そのサイズは、透明なポリマーフィルムのキャリア層の縁部２５がテーブルトップの縁から１０ｍｍの位置に配置されるように設定されている。
【００３８】
テーブルカバーの印刷領域は、テーブルカバー中央の小さな領域２６である。
【００３９】
前記に説明した適用はテーブルに対するものだが、テーブルカバーはバーやカウンタートップのような同様の表面に施用することができる。
【図面の簡単な説明】
【００４０】
【図１】本発明に係るテーブルカバーの一部を拡大して示す断面略図である。
【図２】本発明の第２の実施例に係る同様の略図である。
【図３】本発明に係る長方形のテーブルカバーを示す平面略図である。
【図４】テーブルトップ上に設けられた本発明に係る円形テーブルカバーを示す平面略図である。
【図５】本発明に係る円形テーブルカバーの他の実施例を示す平面略図である。
【図６】図３の長方形のテーブルカバーのテーブルトップへ適用した状態を示す斜視図である。
【図７】正方形のテーブルカバーのテーブルトップへ適用した状態を一部を省略して示す斜視図である。
【図８】本発明に係る長方形のテーブルカバーを示す平面略図である。
【図９】テーブルトップ上に設けられた本発明に係る円形テーブルカバーを示す平面略図である。
【符号の説明】
【００４１】
１    剥離紙の下地
２    半永久接着剤層
２ａ    第２接着剤層
３、１５    キャリア層
３ａ    第２ポリマーフィルム
４    印刷層
５    第２剥離紙層
７    プリント層
８、１４、１８、２４    テーブルトップ
１０、１２    ポリマーフィルム
１７、２２、２３    テーブルカバー
１９    剥離紙
【図１】
0004634442.tif 000002
【図２】
0004634442.tif 000003
【図３】
0004634442.tif 000004
【図４】
0004634442.tif 000005
【図５】
0004634442.tif 000006
【図６】
0004634442.tif 000007
【図７】
0004634442.tif 000008
【図８】
0004634442.tif 000009
【図９】
0004634442.tif 000010